(57)【要約】【課題】簡易な構成で高コントラスト表示を実現する表示装置を提供することである。【解決手段】表示装置１は、基本画像情報８０から生成される色再現情報に基づいて、印刷画像１７０として印刷する印刷部（印刷ヘッド１４１）と、印刷ヘッド１４１により印刷画像１７０が印刷される表示対象物としての連続ロール紙５０と、連続ロール紙５０の移動を行なう移動機構部３０と、印刷画像１７０が印刷された連続ロール紙５０に対して、所定の表示領域Ａを確保して、表示領域Ａ内に印刷画像１７０が印刷された連続ロール紙５０を保持する保持機構部４０と、基本画像情報８０から生成されるコントラスト情報に基づいて、投写画像２７０を投写する投写部（投写レンズ２６３）と、を一体に有し、投写レンズ２６３は、表示領域Ａ内に位置する、印刷画像１７０または連続ロール紙５０に対して重ねて投写画像２７０を投写する。【選択図】図２
2008145915.tif 000002
【特許請求の範囲】
【請求項１】
基本画像情報から生成される色再現情報に基づいて、印刷画像として印刷する印刷部と、
前記印刷部により前記印刷画像が印刷される表示対象物と、
前記表示対象物の移動を行なう移動機構部と、
前記印刷画像が印刷された前記表示対象物に対して、所定の表示領域を確保して、当該表示領域内に前記印刷画像が印刷された前記表示対象物を保持する保持機構部と、
前記基本画像情報から生成されるコントラスト情報に基づいて、投写画像を投写する投写部と、を一体に有し、
前記投写部は、前記表示領域内に位置する、前記印刷画像または前記表示対象物に対して重ねて前記投写画像を投写することを特徴とする表示装置。
【請求項２】
請求項１に記載の表示装置であって、
前記印刷画像は前記移動機構部により移動し、前記投写画像は前記印刷画像の移動に合わせて前記投写画像の画像内容が変化することを特徴とする表示装置。
【請求項３】
請求項１または請求項２に記載の表示装置であって、
前記表示装置は、前記投写部を含む光学系を有し、
前記光学系は、光束を射出する１つの光源と、当該光源から射出された光束を前記コントラスト情報に基づいて変調することにより光学像を形成して射出する１つの光変調素子と、当該光変調素子から射出された前記光学像を前記投写画像として投写する前記投写部と、を有し、
前記光変調素子は、モノクロームの前記光学像を形成することを特徴とする表示装置。
【発明の詳細な説明】
【技術分野】
【０００１】
本発明は、表示装置に関するものである。
【背景技術】
【０００２】
近年、ＬＣＤ（Liquid Crystal Display）、ＥＬ（Electro-luminescence）ディスプレイ、プラズマディスプレイ、投写型表示装置等の電子ディスプレイ装置における画質改善は目覚しく、解像度、色域については人間の視覚特性に略匹敵する性能を有する装置が実現されつつある。しかし、輝度ダイナミックレンジについてみると、その再現範囲は暗室環境下においてはコントラスト比で数千：１程度の範囲にとどまり、特に明室環境下においては数百：１程度である。一方、インクジェットプリンタなどで印刷された印刷物は、反射表示のため暗室と明室でのコントラスト比は変化しないが、やはり数百：１程度である。
【０００３】
一方、人間の視覚は、一度に知覚し得る輝度ダイナミックレンジの範囲はコントラストで数千〜数万であり、また輝度弁別能力（コントラスト分解能：輝度の濃淡を弁別できる能力）は０．２［ｎｉｔ］（輝度：光を発する光源の単位面積あたりの光度を表し、光源に関する量。単位はｎｉｔ（ニット）＝ｃｄ／ｍ2）と言われておりこれを階調数に換算すると１２ｂｉｔ相当といわれている。
【０００４】
このような視覚特性を前提として現在の電子ディスプレイ装置の表示画像を見た場合、輝度ダイナミックレンジの狭さが目立ち、加えてシャドウ部やハイライト部の階調が不足しているため表示画像のリアリティーや迫力に対して物足りなさを感じることになる。
【０００５】
これに対して、電子ディスプレイ装置の性能を維持しつつ、描画のリアリティーを追求する技術が種々開示されている。例えば透視画を照明する可視光を変調することにより、ライトボックスを用いる透視画の表示を強める技術が提案されている（特許文献１）。また、物体の像をその物体に投影することにより、その物体の明部と暗部のコントラストを向上させる方法およびその装置が提案されている（特許文献２）。
【０００６】
また、ディスプレイ装置としての屋外広告装置として、側面に開口部を形成された箱体と、箱体内に設置されると共に開口部へ投影可能に設置された投影機および投影機に装着される広告内容を撮影したポジティブ写真フィルムとにより構成され、ポジティブ写真フィルムに光源から投光され、ポジティブ写真フィルムの画像がスクリーンに投影されるものが提案されている（特許文献３）。
【０００７】
【特許文献１】特開平３−２２６７１２号公報
【特許文献２】特表２００１−５２２５４４号公報
【特許文献３】特開２００４−３３３５５１号公報
【発明の開示】
【発明が解決しようとする課題】
【０００８】
上記、特許文献１、特許文献２においては、カメラにより画像面に表示する画像情報を取得することなどが必要であり、高コントラストの表示を実現するためには、構成が複雑であった。すなわち、高コントラストの表示を実現するための表示装置としては、簡便性の面から課題があった。
【０００９】
また、特許文献３において、スクリーンに投影される画像は、ポジティブ写真フィルム自体の濃淡により決まる表示画質（コントラスト）となり、投影される画像のコントラスト向上には至っていなかった。
【００１０】
これらの課題を解決するために、本出願人は、印刷用画像情報に基づいて印刷画像として印刷する印刷部と、印刷部により印刷画像が印刷される表示対象物と、表示対象物の移動を行なう移動機構部と、印刷画像が印刷された表示対象物に対して所定の表示領域を確保して表示領域内に印刷画像が印刷された表示対象物を保持する保持機構部と、投写用画像情報に基づいた投写画像を投写する投写部と、を一体に有し、投写部は、表示領域内に位置する、印刷画像または表示対象物に対して重ねて投写画像を投写することを特徴とする表示装置を提案している（特願２００６−３０４９２７）。
【００１１】
この表示装置は、基本的に、印刷部でカラーの印刷画像を表示対象物（連続ロール紙）に印刷し、投写部でカラーの投写画像を表示対象物に投写する構成となっている。そして、この表示装置の市場への普及に対して、表示装置の機種展開が要求されている。その解決策の１つとして、簡易な構成の表示装置が望まれている。
【００１２】
本発明は、上述した課題に鑑みてなされたものであり、簡易な構成で高コントラスト表示を実現する表示装置を提供することを目的とする。
【課題を解決するための手段】
【００１３】
上述した目的を達成するために、本発明の表示装置は、基本画像情報から生成される色再現情報に基づいて、印刷画像として印刷する印刷部と、印刷部により印刷画像が印刷される表示対象物と、表示対象物の移動を行なう移動機構部と、印刷画像が印刷された表示対象物に対して、所定の表示領域を確保して、表示領域内に印刷画像が印刷された表示対象物を保持する保持機構部と、基本画像情報から生成されるコントラスト情報に基づいて、投写画像を投写する投写部と、を一体に有し、投写部は、表示領域内に位置する、印刷画像または表示対象物に対して重ねて投写画像を投写することを特徴とする。
【００１４】
このように、表示装置は、印刷部、表示対象物、移動機構部、保持機構部および投写部を一体に有している。そして、印刷部で、基本画像情報から生成される色再現情報に基づいて印刷画像として印刷し、表示対象物に印刷画像が印刷され、移動機構部で表示対象物を移動し、保持機構部で所定の表示領域を確保して表示領域内に印刷画像が印刷された表示対象物を保持し、投写部で基本画像情報から生成されるコントラスト情報に基づいて投写画像を投写する。そして、投写部は、表示領域内に位置する、印刷画像または表示対象物に対して重ねて投写画像を投写する。
このような一体に構成された表示装置により、投写部では基本画像情報から生成されるコントラスト情報に基づいた投写画像を投写するため、投写部を含めた光学系として、カラー表示の投写画像を形成することが不必要となり、カラーフィルタを用いない１色（例えば、黒色のモノクローム）の投写画像を使用することで良いため、表示装置の構成を簡易化できる。
【００１５】
また、このような表示装置によれば、ユーザが、印刷画像を別体の印刷部で印刷し、その印刷画像を設置し、設置した印刷画像に対して投写画像の位置合わせを行ない投写させることなどは不必要となり、簡便性が向上することや、また、表示領域内に位置している印刷画像または表示対象物に対して重ねて投写画像を投写することにより、高コントラストな表示を実現できることは、特願２００６−３０４９２７で提案したことと同様である。
【００１６】
また、上述した表示装置において、印刷画像は移動機構部により移動し、投写画像は印刷画像の移動に合わせて投写画像の画像内容が変化することが好ましい。
【００１７】
このような表示装置によれば、移動機構部により移動する印刷画像に合わせて、投写画像の画像内容が変化するため、高コントラストを有する動きのある合成画像を実現することができる。
【００１８】
また、上述した表示装置において、表示装置は、投写部を含む光学系を有し、光学系は、光束を射出する１つの光源と、光源から射出された光束をコントラスト情報に基づいて変調することにより光学像を形成して射出する１つの光変調素子と、光変調素子から射出された光学像を投写画像として投写する投写部と、を有し、光変調素子は、モノクロームの光学像を形成することが好ましい。
【００１９】
このような表示装置によれば、表示装置は、投写部を含む光学系を有している。そして光学系は、１つの光源により光束を射出し、１つの光変調素子により光源から射出された光束をコントラスト情報に基づいて変調し、モノクロームの光学像を形成して射出する。そして、光変調素子から射出された光学像を投写部で投写画像として投写する。
このような光学系により、カラーフィルタを用いない１色（例えば、黒色のモノクローム）の投写画像を簡易な構成で投写することができる表示装置を実現できる。
【発明を実施するための最良の形態】
【００２０】
以下、本発明の実施形態を図面に基づいて説明する。
（第１実施形態）
【００２１】
図１は、本発明の第１実施形態に係る表示装置の概略斜視図である。図１を参照して、表示装置１の構成および動作を説明する。
【００２２】
表示装置１は、プリンタ部１０とプロジェクタ部２０と移動機構部３０と保持機構部４０とを有して構成されている。
【００２３】
プリンタ部１０は、表示装置１の図示左端側に構成されている。プリンタ部１０は、本実施形態ではインクジェットプリンタを用いて、基本画像情報から生成される色再現情報に基づいた印刷用画像情報１００（図２参照）に従って印刷部としての印刷ヘッド１４１により描画することで印刷画像を形成する。なお、印刷画像を形成する部材は、連続したロール状に形成された表示対象物としての連続ロール紙５０である。この連続ロール紙５０の面上に印刷画像を印刷することになる。
【００２４】
プロジェクタ部２０は、表示装置１の図示下端側に構成されている。プロジェクタ部２０は、光源としての光源ランプ２６１（図２参照）から射出される光束を、基本画像情報から生成されるコントラスト情報に基づいた投写用画像情報２００（図２参照）に応じて光変調素子としての液晶パネル２６２（図２参照）で変調して光学像を形成し、形成された光学像を、投写部を構成する投写レンズ２６３で投写する。
【００２５】
保持機構部４０は、連続ロール紙５０に対して、所定の表示領域Ａ（図中斜線で示す）を確保して、表示領域Ａ内に印刷画像が印刷された連続ロール紙５０を保持する。本実施形態での表示領域Ａは、略Ａ２サイズで横向きの印刷画像を平面として確保できるように設定されており、その表示領域Ａの平面内に印刷画像が印刷された連続ロール紙５０の部分を保持している。また、保持機構部４０は、連続ロール紙５０を保持する他、移動機構部３０、プリンタ部１０およびプロジェクタ部２０も併せて保持している。
【００２６】
移動機構部３０は、プリンタ部１０の印刷ヘッド１４１の印刷速度に同期させて、印刷される連続ロール紙５０の送り動作を行なっている。その他、移動機構部３０は、プリンタ部１０の印刷動作とは無関係に、連続ロール紙５０を所定の速度で連続して回転させる動作も行なう。
【００２７】
本実施形態の連続ロール紙５０の幅（図示上下方向）は、Ａ２サイズで横向きの印刷画像を印刷しても余白が確保される幅を有している。また、印刷ヘッド１４１もＡ２サイズを横方向に印刷できる仕様となっている。
【００２８】
図１に示すように、連続ロール紙５０は、移動機構部３０を構成するローラ３５Ａ，３５Ｂおよび他のローラ（図示省略）により、テンションを掛けられて、一巡して表示装置１に設置される。連続ロール紙５０は、前述したように設置され、各ローラ（３５Ａ，３５Ｂなどを含む）を一巡する長さを有して連続したロール状の紙として形成されている。また、移動機構部３０は、後述する移動用モータ３２０および動力伝達機構（図示省略）を有し、連続ロール紙５０を移動（回転）させる。ローラ３５Ａ，３５Ｂは、表示装置１の左右端側に軸支されて設置されている。そして、移動用モータ３２０が駆動することにより、動力伝達機構が動作し、ローラ３５Ａ，３５Ｂは、本実施形態では各々反時計方向に回転し、連続ロール紙５０は、ローラ３５Ａ，３５Ｂなどに従動して移動（回転）する。
【００２９】
なお、連続ロール紙５０は、左端側に構成されるプリンタ部１０の右側に設置される印刷ヘッド１４１により、印刷されながら表示領域Ａの平面上を右方向に移動する。そして、Ａ２サイズの横向き印刷画像が表示領域Ａ内に均等に収まる位置に達したところまで移動した後は、保持機構部４０の内部に移動する。
【００３０】
また、プロジェクタ部２０の投写レンズ２６３から投写される投写画像は、上方向に投写される。詳細には、Ａ２サイズの横向き印刷画像が表示領域Ａ内に均等に収まる位置を基準として、そのＡ２サイズの横向き印刷画像に一致するように重ねて投写される。なお、Ａ２サイズの横向き印刷画像が表示領域Ａ内に均等に収まる位置を含めた領域を印刷画像領域Ｂとして以降の説明で適宜使用する。また、Ａ２サイズの横向き印刷画像に一致するように重ねて投写される位置を含めた領域を投写画像領域Ｃとして以降の説明で適宜使用する。本実施形態では、印刷画像領域Ｂと投写画像領域Ｃを一致させている。
【００３１】
プリンタ部１０でＡ２サイズの横向き印刷画像を印刷ヘッド１４１で印刷する場合、印刷ヘッド１４１の印字速度に同期して、移動機構部３０は、連続ロール紙５０の送り動作を行なう。そして、印刷終了した場合にも、移動機構部３０は、連続ロール紙５０の送り動作を継続して行ない、Ａ２サイズの横向き印刷画像が表示領域Ａ内に均等に収まる位置（印刷画像領域Ｂ）に移動させた後、連続ロール紙５０の送り動作を終了する。
【００３２】
プロジェクタ部２０には、リモコン（リモートコントローラ）５（図２参照）の信号を受信するリモコン受信部２１が設置されている。なお、本実施形態では、リモコン５により、表示装置１の動作を指示することができる。
【００３３】
図２は、表示装置の構成を示すブロック図である。図２を参照して、表示装置１の構成および動作を説明する。
【００３４】
表示装置１は、図１で説明したように、プリンタ部１０とプロジェクタ部２０と移動機構部３０と保持機構部４０とを有して構成されている。
【００３５】
図２に示すように、プリンタ部１０は、プリンタ制御部１１０と、プリンタ画像情報Ｉ／Ｆ（インターフェイス）１２０と、プリンタ画像変換／画像処理部１３０と、印刷ヘッド駆動部１４０と、印刷画像１７０の印刷を行なう印刷ヘッド１４１とを有して構成されている。
【００３６】
プリンタ画像情報Ｉ／Ｆ１２０は、印刷すべき基となる基本画像情報８０を入力する。基本画像情報８０は、本実施形態ではデジタルスチルカメラで撮影した画像を用いている。もちろん基本画像情報８０はこれに限定されるわけではなく、イメージスキャナで取り込んだフィルムや写真を元にした画像情報や、ＣＧ（Computer Graphics）を用いて作成された画像情報であっても良い。
【００３７】
プリンタ画像変換／画像処理部１３０は、プリンタ画像情報Ｉ／Ｆ１２０から入力された基本画像情報８０に基づき、本実施形態では、後述するコントラスト情報を除いた残りの情報となる色再現情報を生成する。詳細には、特開２００６−１１３５３５号公報に記載されている画像処理方法を用いている。
【００３８】
そして、プリンタ画像変換／画像処理部１３０は、生成した色再現情報に基づいて、印刷用画像情報１００を生成する。また、印刷用画像情報１００を生成する際、印刷画像１７０の大きさと基本画像情報８０の画素数および印刷ヘッド１４１の解像度によって決まる画素数に拡大縮小する。そして、プリンタ画像変換／画像処理部１３０は、印刷ヘッド１４１の性能に合わせた拡大・縮小、色変換、ガンマ補正、画像補正、面積階調処理、色の変換処理、彩度強調、などを行ない、印刷用画像情報１００を生成する。
【００３９】
印刷ヘッド駆動部１４０は、印刷用画像情報１００に基づき印刷ヘッド１４１を駆動する。印刷ヘッド１４１は、印刷ヘッド駆動部１４０の駆動に従って、表示対象物としての連続ロール紙５０に印刷画像１７０として印刷する。本実施形態では、Ａ２サイズで横向きの大きさの印刷画像１７０を印刷する。
【００４０】
なお、プリンタ部１０は、本実施形態では、シアン（Ｃ）、マゼンタ（Ｍ）、イエロー（Ｙ）、ブラック（Ｋ）、ライトシアン（Ｌｃ）、ライトマゼンタ（Ｌｍ）などの６色のインクを採用しており、各色のインクを色毎に封入した６つのインクカートリッジ１４２を有している。そして、インクカートリッジ１４２は、印刷ヘッド１４１にインクを供給するように設置されている。この構成により、本実施形態では、６色のインクを用いて印刷し、印刷画像１７０を形成している。
【００４１】
なお、プリンタ制御部１１０は、上述したプリンタ部１０の動作を制御している。また、後述する移動機構部３０の動作の制御も行なっている。
【００４２】
移動機構部３０は、プリンタ部１０に構成される移動用モータ駆動部３１０と移動用モータ３２０と、図１で説明したローラ３５Ａ，３５Ｂと、動力伝達機構（図示省略）および他のローラ（図示省略）を有して構成されている。
【００４３】
移動用モータ駆動部３１０は、プリンタ制御部１１０の制御により、印刷ヘッド１４１の印刷速度に同期させて、移動用モータ３２０を駆動し、印刷される連続ロール紙５０の送り動作を行なっている。移動用モータ３２０以降の動作は図１で説明したと同様となる。また、印刷されたＡ２サイズ横向きの印刷画像１７０を、印刷画像領域Ｂに位置させるための駆動も行なっている。また、プリンタ制御部１１０の制御により、移動用モータ駆動部３１０は、プリンタ部１０の印刷動作とは無関係に、連続ロール紙５０を所定の速度で連続して回転させる駆動も行なう。
【００４４】
図２に示すように、プロジェクタ部２０は、プロジェクタ制御部２１０と、プロジェクタ画像情報Ｉ／Ｆ（インターフェイス）２２０と、プロジェクタ画像変換／画像処理部２３０と、投写画像２７０の投写を行なう光学系２６０とを有して構成されている。
【００４５】
なお、光学系２６０は、光束を射出する光源としての光源ランプ２６１と、後述する投写用画像情報２００に応じて入射する光束を変調して光学像（投写画像２７０）を形成する光変調素子としての透過型の液晶パネル２６２と、形成された投写画像２７０を印刷画像領域Ｂに向けて投写する投写部を構成する投写レンズ２６３とを有して構成されている。
【００４６】
光学系２６０は、詳細には、１つの光源ランプ２６１から射出された光束を１つ（１枚）の液晶パネル２６２に入射させる。そして、液晶パネル２６２では、入射する光束を投写用画像情報２００に基づいて生成された後述するコントラスト情報に応じて変調することにより光学像（投写画像２７０）を形成する。そして、形成した投写画像２７０を投写レンズ２６３を介して印刷画像領域Ｂに向けて投写する。この場合、本実施形態では、液晶パネル２６２は、カラーフィルタなどは備えておらず、１色（黒色：光束を透過させる割合による色）のモノクロームの光学像として形成する。
【００４７】
プロジェクタ画像情報Ｉ／Ｆ２２０は、投写すべき基となる基本画像情報８０を入力する。
【００４８】
プロジェクタ画像変換／画像処理部２３０は、本実施形態では、プロジェクタ画像情報Ｉ／Ｆ２２０から入力された基本画像情報８０に基づき、演算処理により明るさを表す情報（コントラスト情報）を生成する。なお、演算処理による明るさを表す情報（コントラスト情報）の生成方法に関しては、特開２００６−１１３５３５号公報に記載されている画像処理方法を用いている。
【００４９】
そして、プロジェクタ画像変換／画像処理部２３０は、生成したコントラスト情報に基づいて、投写用画像情報２００を生成する。また、投写用画像情報２００を生成する際、液晶パネル２６２の特性に合わせて、例えば、拡大・縮小、ガンマ補正、画像補正、コントラスト強調処理などを行ない、投写用画像情報２００を生成する。なお、プロジェクタ画像変換／画像処理部２３０の後段には、液晶パネル駆動部２３１が構成されており、投写用画像情報２００に基づき液晶パネル２６２を駆動する。
【００５０】
なお、プロジェクタ制御部２１０は、上述したプロジェクタ部２０の動作を制御している。
【００５１】
以上の構成および動作により、表示装置１は、保持機構部４０の表示領域Ａ内に印刷画像１７０の印刷画像領域Ｂが位置し、その印刷画像領域Ｂに投写画像２７０の投写画像領域Ｃを略一致させている。なお、図２では、印刷画像領域Ｂと投写画像領域Ｃとを理解し易くするため、ずらした位置として図示している。
【００５２】
また、表示装置１は、リモコン制御部６を有している。リモコン制御部６は、リモコン５からの操作信号を受信し、プロジェクタ制御部２１０およびプリンタ制御部１１０に操作指示の信号を出力する。
【００５３】
図３は、印刷画像と投写画像とその合成画像とを説明する図である。
図３を参照して印刷画像１７０と投写画像２７０とその合成画像５００とを説明する。
【００５４】
図３に示すように、印刷画像１７０は、上述したように、プリンタ部１０において、基本画像情報８０から生成される色再現情報に基づいて、印刷用画像情報１００を生成し、その生成した印刷用画像情報１００に基づいて、連続ロール紙５０に印刷される画像である。そして、本実施形態では、６色のインクにより印刷される画像となる。なお、印刷画像１７０は、図中ではモノクロームで図示されているが、実際は、カラー表示されている。
【００５５】
また、投写画像２７０は、上述したように、プロジェクタ部２０において、基本画像情報８０から生成されるコントラスト情報に基づいて、投写用画像情報２００を生成し、その生成した投写用画像情報２００に基づいて、投写される画像である。
【００５６】
そして、連続ロール紙５０に印刷された印刷画像１７０の外形に一致させて、投写画像２７０を投写させることにより、高コントラストな合成画像５００（カラー）として形成される。合成画像５００は、印刷画像領域Ｂ（印刷画像１７０）に投写画像領域Ｃ（投写画像２７０）が一致して重なることにより形成される。
【００５７】
上述した、第１実施形態によれば以下の効果が得られる。
（１）本実施形態の表示装置１によれば、印刷部としての印刷ヘッド１４１、表示対象物としての連続ロール紙５０、移動機構部３０、保持機構部４０、投写部としての投写レンズ２６３を一体に有している。そして、プリンタ部１０のプリンタ画像変換／画像処理部１３０は、基本画像情報８０からコントラスト情報を除いた残りの情報となる色再現情報を生成する。また、生成した色再現情報に基づいて印刷用画像情報１００を生成する。印刷ヘッド１４１は、その印刷用画像情報１００に基づいて、６色のインクで連続ロール紙５０に印刷画像１７０として印刷する。そして、移動機構部３０で連続ロール紙５０を移動し、保持機構部４０で所定の表示領域Ａを確保して表示領域Ａ内に印刷画像１７０が印刷された連続ロール紙５０を保持する。一方、プロジェクタ部２０のプロジェクタ画像変換／画像処理部２３０は、基本画像情報８０からコントラスト情報を生成する。そして、生成したコントラスト情報に基づいて、投写用画像情報２００を生成する。光学系２６０は、投写用画像情報２００に基づいて、投写レンズ２６３を介して、表示領域Ａ内に位置する印刷画像１７０に対して、重ねて投写画像２７０を投写する。
このように構成された表示装置１により、投写部では基本画像情報８０から生成されるコントラスト情報に基づいた投写画像２７０を投写するため、投写部を含めた光学系２６０として、カラー表示の投写画像を形成することが不必要となり、カラーフィルタを用いない１色の投写画像２７０を使用することで良い。この構成により、液晶パネル２６２は１枚で、しかもカラーフィルタを有さなくても良い。それにより、いわゆる３板方式のように、光源ランプから射出された光束を、色分離光学系により、赤（Ｒ）、緑（Ｇ）、青（Ｂ）の三原色に分離し、分離した各色光束を、各色光束に対応させて設置した各々の液晶パネル（合計３枚）により、投写用画像情報に応じて変調して、変調した後の各色光の変調光束を色合成光学系により合成して光学像を形成することなどが必要なくなる。従って、表示装置１の構成を簡易化できる。
【００５８】
（２）また、効果（１）で記述したように、色分離光学系や、３枚の液晶パネルや、色合成光学系などを使用する必要がなくなり、カラーフィルタを有さず、モノクロームの光学像を形成する１枚の液晶パネル２６２を使用するのみで良く、表示装置１の構成を簡易化できるため表示装置１を小型化できると共に、構成部材が削減できるため環境に配慮した表示装置１が可能となる。
【００５９】
（３）また、一体に構成された表示装置１により、ユーザが、印刷画像を別体の印刷部で印刷し、その印刷画像を設置し、設置した印刷画像に対して投写画像の位置合わせを行ない投写させることなどは不必要となり、簡便性が向上する。また、表示領域Ａ内に位置している印刷画像１７０に対して重ねて投写画像２７０を投写することにより、合成された画像（合成画像５００）は、印刷画像１７０のコントラスト比と投写画像２７０のコントラスト比との掛け算として計算されるコントラスト比となり、高コントラストな表示を実現できる。従って、簡便性を向上し、高コントラスト表示を実現する表示装置１を提供することができる。
（第２実施形態）
【００６０】
図４は、本発明の第２実施形態に係る表示装置の印刷画像および投写画像を示す図である。そして、図４（ａ）は、連続ロール紙の面全体に印刷画像を印刷して、投写画像を投写した図であり、（ｂ）は、連続ロール紙が移動して、投写画像も連動して変化させて投写した図である。図４を参照して、本実施形態での表示装置１の動作を説明する。なお、表示装置の構成は第１実施形態の表示装置１と同様である。また、図４（ａ）、（ｂ）に示す投写画像２８０は、理解し易くするために、印刷画像１８０をずらした位置として図示しているが、実際には一致させている。
【００６１】
図４（ａ）に示すように、本実施形態では、表示装置１のプリンタ部１０により、印刷画像１８０が連続ロール紙５０の面全体に連続した画像として印刷されている。その印刷画像１８０の印刷画像領域Ｂに対応した投写画像領域Ｃの部分に、印刷画像領域Ｂに対応した投写画像２８０を投写レンズ２６３から投写させている。
【００６２】
なお、印刷画像１８０は、第１実施形態と同様に、基本画像情報８０からコントラスト情報を除いた残りの情報となる色再現情報を生成し、また、生成した色再現情報に基づいて印刷用画像情報１００を生成し、生成した印刷用画像情報１００に基づいて印刷された画像である。また、投写画像２８０は、第１実施形態と同様に、基本画像情報８０からコントラスト情報を生成し、また、生成したコントラスト情報に基づいて投写用画像情報２００を生成し、生成した投写用画像情報２００に基づいて投写された画像である。
【００６３】
図４（ｂ）に示す図は、図４（ａ）に示す印刷画像１８０と投写画像２８０とが静止している状態から、連続ロール紙５０（印刷画像１８０）が移動を開始して、その移動に対応して、投写画像２８０の画像の内容を変化させた状態を示している。
【００６４】
詳細には、本実施形態では、印刷画像１８０は、移動機構部３０の移動用モータ３２０により、ローラ３５Ａ，３５Ｂが回転し、それに従動して所定の速度で連続ロール紙５０も移動することにより、印刷画像１８０も移動する。また、投写画像２８０は、印刷画像１８０の移動速度と同期されており、印刷画像１８０の移動速度に同期して、印刷画像１８０の移動による風景の変化に対して、同様に変化する風景の画像を投写画像２８０として投写する。
【００６５】
この動作は、印刷画像１８０の移動速度情報と、移動のスタート基準位置情報とに基づいて、表示装置１のプリンタ制御部１１０およびプロジェクタ制御部２１０の制御により実現している。詳細には、プリンタ制御部１１０による移動用モータ駆動部３１０の制御と、プロジェクタ制御部２１０によるプロジェクタ画像変換／画像処理部２３０の制御とにより、印刷画像１８０が移動したその時点での投写すべき投写画像２８０を抽出（切り出し）して順次投写することで画像内容を変化させて実現している。
【００６６】
上述した第２実施形態によれば、第１実施形態での効果を同様に奏することができる他、以下の効果が得られる。
（１）本実施形態の表示装置１によれば、連続した印刷画像１８０が移動機構部３０により移動させることに合わせて、その移動速度情報やスタート基準位置情報などにより、投写画像２８０を同期させて、移動する印刷画像１８０に重ねて投写させることができる。それにより、投写画像２８０（投写画像領域Ｃ）の重なる印刷画像１８０の領域において、高コントラストで動きのある合成画像として表示することができる。従って、表示装置１の利便性が更に向上する。
【００６７】
なお、本発明は、上述した実施形態に限定されず、種々の変更や改良などを加えることが可能である。変形例を以下に述べる。
【００６８】
（変形例１）前記実施形態では、色再現情報は、基本画像情報８０からコントラスト情報を除いた残りの情報となる情報としているが、これに限らず、コントラスト情報も含む情報を色再現情報として印刷しても良い。例えば、黒がより黒（漆黒）として表示でき、更に高コントラストな合成画像となる。
【００６９】
（変形例２）前記実施形態では、略Ａ２サイズの横向きを平面で確保する表示領域Ａを有する保持機構部４０が構成されている。しかし、これに限らず、任意の表示領域を設定して保持機構部を構成しても良い。また、表示領域Ａは、印刷画像領域Ｂまたは投写画像領域Ｃと略一致していても良い。
【００７０】
（変形例３）前記実施形態では、プリンタ部１０は表示装置１の図示左端側に構成され、プロジェクタ部２０は表示装置１の図示下端側に構成されている。しかし、これに限らず、プリンタ部１０およびプロジェクタ部２０は表示装置１の概略４角形の４端側のどこに設置されても良い。
【００７１】
（変形例４）前記実施形態では、印刷画像領域Ｂに投写画像領域Ｃを一致させて重ねて投写しているが、必ずしも一致させて投写させなくても良い。また、印刷画像領域Ｂがない（印刷されていない）場合であっても、表示対象物としての連続ロール紙５０の面上に投写画像を重ねて、投写画像を投写しても良い。
【００７２】
（変形例５）第１実施形態では、Ａ２サイズで横向きの印刷画像１７０を表示領域Ａ内の所定の位置（表示領域Ａ内に均等に収まる位置）を基準の位置として、同サイズの投写画像２７０を重ねている。しかし、これに限らず、印刷画像のサイズや、表示領域Ａ内での基準とする位置や、投写画像の印刷画像に対するサイズや、投写画像の印刷画像に対する位置などは、表示装置１に入力される画像情報のサイズや、印刷ヘッド１４１および液晶パネル２６２の特性などを含めて、適宜設定することが可能である。
【００７３】
（変形例６）第２実施形態では、連続ロール紙５０の面上に印刷ヘッド１４１によって前もって印刷された印刷画像１８０に対して、その印刷画像１８０の移動速度に同期させながら、投写画像２８０も移動させている。しかし、これに限らず、印刷ヘッド１４１で印刷画像１８０を印刷しながら、その印刷速度に同期させて投写画像２８０を順次投写することでも良い。
【００７４】
（変形例７）第２実施形態では、連続ロール紙５０は図４において、左側から右側に移動しているが、右側から左側に移動しても良い。プリンタ制御部１１０の指示により、移動用モータ駆動部３１０が移動用モータ３２０を逆回転させることにより、ローラ３５Ａ，３５Ｂを逆方向（時計方向）に回転させることにより実現できる。
【００７５】
（変形例８）前記実施形態では、印刷画像１７０，１８０が印刷される表示対象物として連続ロール紙５０を用いている。しかしこれに限らず、巻取り式のロール紙などを用いても良い。巻取り式のロール紙を用いた場合には、例えばローラ３５Ａに巻取り式ロール紙を設置して、巻取り式ロール紙の紙先端をローラ３５Ｂに引掛ける。そして、ローラ３５Ｂが回転することにより、ローラ３５Ａに設置した巻取り式ロール紙を、ローラ３５Ｂに巻き取っていく機構とすることにより、本発明を適用することができる。
【００７６】
（変形例９）前記実施形態では、投写画像２７０，２８０を形成する光学系２６０の部材として、光変調素子である透過型の液晶パネル２６２を用いているが、反射型の液晶パネルなど、反射型の光変調素子を用いることも可能である。また、入射した光の射出方向を、画素としてのマイクロミラー毎に制御することにより、光源から射出した光を変調する微小ミラーアレイデバイス等を用いても良い。更には、光学系２６０として、レーザ光源と、レーザ光を走査する走査ミラーを用いて投写画像表示を行なっても良い。
【００７７】
（変形例１０）前記実施形態において、図２に示す表示装置１のハードウェア構成は、この例に限定されるわけではなく、印刷用画像情報１００や投写用画像情報２００などを作成するブロック部分（プリンタ画像変換／画像処理部１３０やプロジェクタ画像変換／画像処理部２３０など）は、ＰＣ（パーソナルコンピュータ）を用いて処理しても良い。なお、その他のブロック部分においても、適宜ＰＣを利用して処理しても問題ない。
【００７８】
（変形例１１）前記実施形態における表示装置１は、連続ロール紙５０の外面側の面上に投写画像２７０，２８０を投写するいわゆるフロントタイプのプロジェクタを用いている。しかし、これに限らず、連続ロール紙５０の裏面側の面上に投写画像を投写するいわゆるリアタイプのプロジェクタを用いても良い。そのためには、ローラ３５Ａ，３５Ｂと連続ロール紙５０とにより囲まれた空間領域から、連続ロール紙５０の裏面側（本実施形態では連続ロール紙５０の内側の面）の面上に投写画像２７０，２８０を投写することや、連続ロール紙５０の材質を反射タイプから透過タイプの材質に変更することや、投写画像２７０，２８０の向きの調整（左右反転や上下反転など）を行なうことなどで可能となる。
【００７９】
本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材の形状・材質・数量などにおいて、当業者が様々な変形（変更ならびに改良）を加えることができるものである。従って、詳細な構成部材の形状・材質・数量などにおいて、当業者が様々な変形を加えることにより実施する場合も本発明に含まれるものである。
【図面の簡単な説明】
【００８０】
【図１】本発明の第１実施形態に係る表示装置の概略斜視図。
【図２】表示装置の構成を示すブロック図。
【図３】印刷画像と投写画像とその合成画像とを説明する図。
【図４】本発明の第２実施形態に係る表示装置の印刷画像および投写画像を示す図であり、（ａ）は連続ロール紙の面全体に印刷画像を印刷して、投写画像を投写した図、（ｂ）は連続ロール紙が移動して、投写画像も連動して変化させて投写した図。
【符号の説明】
【００８１】
１…表示装置、５…リモコン、１０…プリンタ部、２０…プロジェクタ部、３０…移動機構部、４０…保持機構部、５０…連続ロール紙、８０…基本画像情報、１００…印刷用画像情報、１３０…プリンタ画像変換／画像処理部、１４１…印刷部としての印刷ヘッド、１４２…インクカートリッジ、２００…投写用画像情報、１７０，１８０…印刷画像、２３０…プロジェクタ画像変換／画像処理部、２６０…光学系、２６２…液晶パネル、２６３…投写レンズ、２７０，２８０…投写画像、５００…合成画像、Ａ…表示領域、Ｂ…印刷画像領域、Ｃ…投写画像領域。
【図１】
2008145915.tif 000003
【図２】
2008145915.tif 000004
【図４】
2008145915.tif 000005
【図３】
2008145915.tif 000006